(57)【要約】      （修正有）【課題】電気通信回線を介して入力されるデータはディレクトリエントリに記録されたタイムスタンプ情報が消失されたり、受信時のタイムスタンプ情報が記録されるが、データのファイルネームに真のタイムスタンプ情報が記録されていれば、そのタイムスタンプ情報がディレクトリエントリに書込まれて、当該データをタイムスタンプ情報によって特定させることが可能なデータ加工装置である。【解決手段】当該データのファイルネームから真のタイムスタンプ情報を読出す読出し手段３と、読出し手段３が読出したタイムスタンプ情報を当該データのディレクトリエントリに書込みを行なう書込み手段５と、入力されるデータに対して、読出し手段３及び書込み手段が機能するように制御を行う制御手段８を備えて構成した。【選択図】図１
2007058594.tif 000002
【特許請求の範囲】
【請求項１】
データが作成される際の時刻に係る情報であるタイムスタンプ情報が当該データのファイルネームに記録されているデータから、ファイルネームに記録されているタイムスタンプ情報を読出す読出し手段と、
その読出し手段が読出したタイムスタンプ情報を当該データのディレクトリエントリに書込みを行なう書込み手段と、
データが入力されると、前記読出し手段が、その入力されるデータに対し、ファイルネームに記録されているタイムスタンプ情報の読出しを行なうように制御し、前記書込み手段が、読出し手段が読出したタイムスタンプ情報を当該データのディレクトリエントリに書込みを行なうように制御を行う制御手段が、備えられてなるデータ加工装置。
【請求項２】
入力されるデータのディレクトリエントリに既にタイムスタンプ情報が記録されている場合に、その既に記録されているタイムスタンプ情報とファイルネームに記録されているタイムスタンプ情報を比較する比較手段が備えられてなる請求項１に記載のデータ加工装置。
【発明の詳細な説明】
【技術分野】
【０００１】
この発明は、記録媒体にデータが記録される際の時刻（年月日を含めた時刻）を示す、所謂タイムスタンプ情報の加工に関し、特に、タイムスタンプ情報がファイルネームに記録された当該データ（ファイル）が電気通信回線を介して送られて来た場合に、当該タイムスタンプ情報を活用できるようにデータを加工するデータ加工装置に関する。
【背景技術】
【０００２】
今日、データを記録すべき記録媒体の記録容量は飛躍的に増大して来ている。データを記録する容量が大きいと、一つの記録媒体に複数のデータ（ファイル）を記録することが可能になる。一つの記録媒体に複数のデータを記録した場合に、各データを特定する必要が生じて来る。
各データを特定可能とすることに対して、データが記録される際にその時の時刻を当該データと対応付けて記録される、所謂タイムスタンプ情報の記録が知られている。
【０００３】
各データが記録媒体に記録される際の時刻が当該データと対応付けられて記録されていると、後にそれらのデータを特定したり複数のデータ間で前後を特定することに大いに役立つことが知られている。
殊に、記録媒体は、一時に唯一つのデータのみの記録が可能であって同時に複数のデータを記録することはできないから、一つの記録媒体の中では複数のデータが同じタイムスタンプ情報を有することはなく、よって、データを記録した時刻から該当するファイルを一義的に確実に特定させることが可能になっている。
【０００４】
さて、データを記録する際に、その記録の時刻を当該データに対応付けて記録するようにタイムスタンプ機能を有するデータ記録装置としては、以下の文献が知られている。
【０００５】
【特許文献１】特開２００５−３２３６３号公報
【発明の開示】
【発明が解決しようとする課題】
【０００６】
そのデータが記録媒体に記録される際に対応付いて記録される時刻、つまり、タイムスタンプ情報は、各データが記録媒体に記録された固有の時刻を示すものである。
よって、ユーザーは、データに対応付いて記録されたタイムスタンプ情報に基づいて、一つの記録媒体に記録されている複数のデータ（ファイル）をそれぞれ特定することが可能である。
そうして、ユーザーはこのタイムスタンプ情報に基づいて複数のデータを編集したり、複数のデータを記録された時系列順に並べることが可能になっている。
【０００７】
他方、ユーザーは、複数のデータの中からがそれらのファイルの中から任意に選択したファイル（データ）を遠方に送る場合には、その任意のファイルを読出して電気通信回線を介したメイル、所謂電子メイルに添付して相手に送るという方法が取られている。
ここで、電子メイルに添付されたファイル（データ）に対応付けられるタイムスタンプ情報が電子メイルの送受によって欠落しないならば、その添付ファイルを受け取った者もタイムスタンプ情報を活用することが可能である。
【０００８】
ファイルを電子メイルに添付して送ると、当該電子メイルを送った時刻と受け取った時刻を知ることはできる。
しかしながら、そのファイルを受け取った時点ではタイムスタンプ情報が消失して仕舞い、当該電子メイルに添付のファイルのデータ記録時を示すイムスタンプ情報、つまりそのファイルを作成した時刻を知ることができないという問題が生じる。
上記公報には、タイムスタンプ情報が対応するファイルを電子メイルで送ることによって消失すること、消失することに対する対応等は、全く記されていない。
【０００９】
他方、ファイルを電子メイルに添付して送ると当該電子メイルに添付のファイルに対応付けられたタイムスタンプ情報が消失する問題に対して、本願発明の発明者の一人は、電子メイルに添付して送受を行なってもデータ消失の生じないファイルネームにタイムスタンプ情報を記録し得る構成のデータ記録装置を発明し、このことによってタイムスタンプ情報の消失の回避方法を提案している（特願２００５−２３２４６７号）。
よって、斯かる構成のデータ記録装置を用いてデータが記録されたファイルは、電子メイルに添付されて送付された後であっも、タイムスタンプ情報はファイル名のエリアに記録されていて消失することはない。
【００１０】
然るに、タイムスタンプ情報が当該ファイルと対応付いて消失することなく記録されていても、実際には、タイムスタンプ情報が記録媒体においてファイルの本来記録されるべきエリアに記録されていないので、折角のタイムスタンプ情報を活用できないという問題が生じることになる。
つまり、従来通りの構成のデータを再生する装置を用いて、ファイルネームにタイムスタンプ情報が記録されているファイルからタイムスタンプ情報を読出そうとしても読出すことができず、又、ファイルネームにタイムスタンプ情報が記録されていることを知らないユーザーは折角のタイムスタンプ情報を見落とすことになる。
【００１１】
更に、記録媒体において本来ならばタイムスタンプ情報が記録されるエリア（ディレクトリエントリ）にタイムスタンプ情報が記録されていないことから、電子メイルの添付ファイルとして受け取った際に、電子メイルの受信装置の中には、自動的にその受信の時刻をタイムスタンプ情報として記録するように機能する電子メイルの受信装置が知られている。
斯かる場合では、単にファイルネームに記録された真のタイムスタンプ情報が使用されないというだけではなく、電子メイルの受信以降に誤ったタイムスタンプ情報が使用されることになり、問題はより一層深刻である。
【００１２】
この発明は、上記の事情に鑑みてなされたものであり、ファイル（データ）を電子メイルによって送る際に当該ファイルが作成された際の時刻であるタイムスタンプ情報が消失せずに先方に届くように、タイムスタンプ情報をファイルネームに記録させたファイルを電子メイルを介して受け取った場合に、当該ファイルに係るタイムスタンプ情報が真のタイムスタンプ情報として使用することを可能にさせるデータ加工装置を提供するものである。
【課題を解決するための手段】
【００１３】
この発明は、ファイルネームに記録されているタイムスタンプ情報を読出し、そのタイムスタンプ情報をディレクトリエントリに記録するようにデータの加工を行なう構成のデータ加工装置である。
【００１４】
その詳細な構成は、データが作成される際の時刻に係る情報であるタイムスタンプ情報が当該データのファイルネームに記録されているデータから、ファイルネームに記録されているタイムスタンプ情報を読出す読出し手段と、その読出し手段が読出したタイムスタンプ情報を当該データのディレクトリエントリに書込みを行なう書込み手段と、データが入力されると、前記読出し手段が、その入力されるデータに対し、ファイルネームに記録されているタイムスタンプ情報の読出しを行なうように制御し、前記書込み手段が、読出し手段が読足したタイムスタンプ情報を当該データのディレクトリエントリに書込みを行なうように制御を行う制御手段が、備えられてなるデータ加工装置である。
【００１５】
斯かる構成のデータ加工装置では、データが入力されると、ファイルネームに記録されている真と受取れるタイムスタンプ情報がディレクトリエントリに書込まれる。
【００１６】
又、ユーザーの所望により、データのファイルネームに記録されているタイムスタンプ情報とディレクトリエントリに記録されているタイムスタンプ情報を比較するための比較手段を備えて、その比較結果の表示、及び、比較結果が同じであれば改めてファイルネームのタイムスタンプ情報をディレクトリエントリに記録する作業を省く構成にすることが可能である。
【発明の効果】
【００１７】
この発明は、電気通信回線を介して入力されるデータはディレクトリエントリに記録されたタイムスタンプ情報が消失されたり、受信時のタイムスタンプ情報が記録されるが、データのファイルネームに真のタイムスタンプ情報が記録されていれば、そのタイムスタンプ情報がディレクトリエントリに書込まれて、当該データをタイムスタンプ情報によって特定させることが可能なデータ加工装置である。
【発明を実施するための最良の形態】
【００１８】
この発明を、図面に示す最良の形態に基づき詳述する。しかし、この形態によって、この発明が限定されるものではない。
データ加工装置１は、データサーバ２と、読出し手段３と、比較手段４と、書込み手段５と、編集手段６と、データ記録手段７と、制御手段８と、操作手段９と、表示手段１０と、バス１１が備えられている。
尚、１２は記録媒体であって、具体的には半導体メモリである。
【００１９】
データサーバ２は、電気通信回線、所謂インターネットを介して得られるデータ、編集手段６によって得られるデータ等を貯蔵するものである。
尚、データサーバ２には、外部からデータをアクセスするための端子部が備えられている。
読出し手段３は、データを受取ってそのデータのファイルネームに記録されている真のタイムスタンプ情報を読出すものである。
【００２０】
ここで、真のタイムスタンプ情報を説明する。
データを添付ファイルにして電気通信回線、所謂電子メイルを介して送受する際に受信したとすると、ディレクトリエントリに記録されている筈のタイムスタンプ情報が消失することになる。このタイムスタンプ情報は、当該データ（ファイル）が作成された際の時刻を示すものであるから、そのデータを特定するために貴重な情報である。
他方、データを電子メイルを介して受取ると、その受取った時刻をタイムスタンプ情報として空き状態のディレクトリに自動的に書込むように機能するデータ受信装置が知られている。
【００２１】
しかしながら、電子メイルの送信によって消失したタイムスタンプ情報の代わりに、受信した時刻をタイムスタンプ情報と扱うのは明らかに誤りである。
よって、真のタイムスタンプ情報とは、そのデータが作成された際に記録された時刻に係るものである。
そこで、データを電子メイルを介して添付ファイルにして送っても、真のタイムスタンプ情報が消失しないように、ファイルネームにタイムスタンプ情報を記録する。
従って、電子メイルを介して添付ファイルで送られたデータであっても、ファイルネームに記録されているタイムスタンプ情報は真のタイムスタンプ情報と呼ぶことができる。
【００２２】
比較手段４は、読出し手段３が当該データのファイルネームから読出したタイムスタンプ情報と当該データのディレクトリエントリに記録されているタイムスタンプ情報を比較するものである。
比較手段４の比較作用によって、前記ディレクトリエントリに記録のタイムスタンプ情報が前記ファイルネームのタイムスタンプ情報と同じであれば、前記ディレクトリエントリのタイムスタンプ情報は真のタイムスタンプ情報であると見なすことができる。
逆に、前記ディレクトリエントリのタイムスタンプ情報が前記ファイルネームのタイムスタンプ情報と異なっていれば、前記ディレクトリエントリのタイムスタンプ情報は真のタイムスタンプ情報ではないと見なすことができる。
【００２３】
書込み手段５は、ファイルネームに記録されているタイムスタンプ情報をディレクトリエントリに書込むものである。
ここで、ディレクトリエントリに何も記録されていない場合には、ファイルネームのタイムスタンプ情報をそのまま書込み、既にディレクトリエントリに異なるタイムスタンプ情報が書込まれている場合にはファイルネームのタイムスタンプ情報を上書きすることになる。
【００２４】
編集手段６は、ディレクトリエントリに真のタイムスタンプ情報が記録されているデータ（ファイル）に対して、真のタイムスタンプ情報がそのデータを特定する情報として受取り、各データをタイムスタンプ情報に基づいて、例えばデータ作成の時系列順に並べたり、ある特定の時刻以降に作成されたデータを検索するといったデータの編集を行うものである。
【００２５】
尚、編集手段６は所望により、ファイルの分割、ファイルの一部コピー、ファイルの結合、ファイルの消去、ファイル名の変更等の機能を持たすことも可能である。
データ記録手段７は、記録媒体１２にデータを記録するものである。つまり、具体的には、ディレクトリエントリに真のタイムスタンプ情報が記録されているデータ単体、編集手段６によって得られたデータ群等を記録媒体１２に記録するものである。
【００２６】
制御手段８は、データサーバ２からのデータを読出し手段３に入力させてから、読出し手段３がその入力されたデータに対しファイルネームに記録されているタイムスタンプ情報の読出しを行なうように制御するものである。
又、制御手段８は、書込み手段５が、読出し手段３がファイルネームから読出した真のタイムスタンプ情報を当該データのディレクトリエントリに書込むように制御するものである。
【００２７】
更に、制御手段８は、編集手段６が複数のデータを作成の時系列順に並べたり、ある一定期間内に作成されたデータを検索してグループ化したりといったデータの編集を行なうように制御するものである。
加えて、制御手段８は、データ記録手段７が記録媒体１２にデータを記録する場合、表示手段１０が装置の現在の機能状態を表示する場合に、それらの各手段の制御を行うものである。
【００２８】
操作手段９は、制御手段８を介して各手段を機能させるためのものである。制御手段９は具体的に、操作スイッチ群を備えた操作パネル（図示省略）から制御手段８に命令信号を送るものである。又、操作手段９は、電源のメインスイッチ、クロック手段の時刻調節釦（以上、図示省略）等も含まれている。
【００２９】
表示手段１０は、装置の現在の機能状態に加えて、データの名称（ファイル名）、各データのファイルネーム及びディレクトリエントリに記録されているタイムスタンプ情報、データサーバ２中のデータの数（ファイル数）と容量、記録媒体１２に記録されているデータの数と容量等の表示を行うものである。
バス１１は、データを通過させるためのものである。
【００３０】
データ加工装置１は、上述したように構成されている。以下において、データ加工装置１の機能を説明する。
ユーザーは、操作手段９を介してメイン電源をＯＮとして、データ加工装置１の機能を立ち上げる。
続いて、データサーバ２から電子メイルの添付ファイルで受取ったデータＡを選択して読出し手段３に送る。
【００３１】
ここで、読出し手段３はデータＡを受取ると、そのファイルネームに記録されているタイムスタンプ情報Ｔとディレクトリエントリに記録されたタイムスタンプ情報ｔを読出す。
読出されたタイムスタンプ情報Ｔとタイムスタンプ情報ｔは、バス１１を介して比較手段４及び表示手段１０に送られる。
【００３２】
比較手段４は、タイムスタンプ情報Ｔとタイムスタンプ情報ｔを受取るとその比較を行い、タイムスタンプ情報ｔがタイムスタンプ情報Ｔに等しいか否かの比較を行ない、その結果を制御手段８に送る。
【００３３】
他方、表示手段１０に送られたデータＡのタイムスタンプ情報Ｔとタイムスタンプ情報ｔは、その値が表示手段１０に表示される。
ここで、ユーザーは、表示手段１０に表示されているタイムスタンプ情報ＴからデータＡが作成された時刻、及び、タイムスタンプ情報ｔからデータＡが電子メイルの添付ファイルで受取られた時刻を知ることができる。
【００３４】
制御手段８が比較手段４においてのデータＡのタイムスタンプ情報Ｔとタイムスタンプ情報ｔの比較結果を受取り、タイムスタンプ情報ｔがタイムスタンプ情報Ｔに同じではない、つまり、ディレクトリエリアに記録されているタイムスタンプ情報ｔがファイルネームに記録されているタイムスタンプ情報Ｔと異なっている場合には、その時点でディレクトリエリアに記録されているタイムスタンプ情報は真のタイムスタンプ情報ではないということで、書込み手段５に機能出力の制御信号が送られる。
【００３５】
書込み手段５は、制御手段８からの前記制御信号を受けると、データＡに対してファイルネームのタイムスタンプ情報Ｔをディレクトリエントリのタイムスタンプ情報ｔに対して上書きして書き換える。
ここで、データＡは、ディレクトリエントリに真のタイムスタンプ情報Ｔが記録されることになる。
尚、このデータＡについて真のタイムスタンプ情報Ｔの書込みが行なわれる際のプロセスも、表示手段１０に表示される。
【００３６】
他方、制御手段４は、比較手段４から受取った比較結果の内容が、タイムスタンプ情報ｔがタイムスタンプ情報Ｔに等しいという旨の場合には、データＡのディレクトリエントリに記録されているタイムスタンプ情報ｔは真のタイムスタンプ情報であるということから、書き換える必要がないことになる。
そこで、制御手段４は、データＡに対しては書込み手段５に機能出力の制御信号を送ることはない。
【００３７】
ユーザーは、続いて、タイムスタンプ情報が加工されたデータＡを含み、特定の共通項目を有する、つまり、例えば記録内容がある同一の講演の音声である場合にその講演者の講演録音データに対して、それらの講演録音データを時系列に並ぶように操作手段９から操作を行う。
制御手段８は操作手段１０からの操作信号に基づいて編集手段６に制御信号を出力するが、編集手段６は前記制御信号を受けて該当する複数のデータを時系列的に並べ換えを行なう、つまり、データを作成された古い順から並べる。
【００３８】
編集手段６は、並べ替えを行なって得られた新たな順序のデータ群のファイルネームを表示手段１０に表示するように、及び、そのデータ群そのものをデータサーバ２に記録するようにバス１１に送る。
表示手段１０は、前記新たな順序のデータ群のファイルネームを表示する。ここで、ユーザーは、そのファイルネームが時系列順に並んでいることを了解する。
他方、データサーバ２は、真のタイムスタンプ情報がディレクトリエントリに記録され、時系列順に並んだ複数のデータをデータ群として記録する。
尚、このデータ群の記録の際に、フォルダが作られる構成であってもよい。
【００３９】
ユーザーは続いて、データＡは真のタイムスタンプ情報がディレクトリエントリに記録されているので、作成時刻に基づいて他のデータと比較することが可能であることより、記録媒体１２に記録することを行う。
つまり、操作手段９から記録命令の信号を制御手段８に送ると、制御手段８はデータ記録手段７に制御信号を送って、データ記録手段７がデータＡを記録媒体１２に記録するように制御する。
データ記録手段７は前記制御信号に基づいて、データＡを記録媒体１２に記録する。
【００４０】
上述したように、データＡのディレクトリエントリに真のタイムスタンプ情報が記録されていない場合であっても、データＡをデータ加工装置１で加工機能によって、ファイルネームに真のタイムスタンプ情報が記録されていればこのタイムスタンプ情報に基づいてディレクトリエントリに真のタイムスタンプ情報が記録されるので、データＡはその作成した時刻を正確に特定することが可能になる。
よって、この作成した時刻が正確に特定することが可能なデータＡは他のデータとの特定（判別）が可能になる。
【００４１】
データ加工装置１は、比較手段４が、データＡのファイルネームに記録されているタイムスタンプ情報Ｔとディレクトリエントリに記録されているタイムスタンプ情報ｔが同じであるか否かを比較するが、ディレクトリエントリにタイムスタンプ情報が何も記録されていなかった場合では、比較手段４はないタイムスタンプ情報と真のタイムスタンプ情報は異なると判断してその結果を制御手段８に送る構成になっている。
【００４２】
データ加工装置１は比較手段４を備えて構成されているが、比較手段４を備えない構成であってもよい。
比較手段４を備えない構成のデータ加工装置１では、書込み手段５は、ディレクトリエントリに記録のタイムスタンプ情報ｔに依らず、常にファイルネームに記録されているタイムスタンプ情報Ｔをディレクトリエントリに書込むように機能する。
【００４３】
データ加工装置１は、データＡのファイルネームに記録されているタイムスタンプ情報Ｔとディレクトリエントリに記録されているタイムスタンプ情報ｔを比較する比較手段４を備えて構成されているが、比較手段４を備えない構成であってもよい。
比較手段を備えない構成のデータ加工装置では、書込み手段５は、ディレクトリエントリに記録のタイムスタンプ情報ｔに依らず、常にファイルネームに記録されているタイムスタンプ情報Ｔをディレクトリエントリに書込むように機能する。
【００４４】
データ加工装置１は、データサーバ２、編集手段６、データ記録手段７等を備えて構成されているが、データＡのファイルネームに記録されている真のタイムスタンプ情報Ｔとディレクトリエントリに記録されているタイムスタンプ情報ｔに書込む（上書き）ということでは、それらの手段を備えずに構成されていてもよい。
【００４５】
データ加工装置１において、読出し手段２、比較手段４、書込み手段５及び編集手段６は具体的に、デジタル信号プロセッサが挙げられる。
データ加工装置１が扱うデータは明確に特定していないが、音声データ、静止画データ、動画データ、動画と音声との組み合わせのデータが挙げられる。
又、データ加工装置１はコンピュータに組み込むことによって、電気通信回線を介して送られて来る添付ファイルのデータに対して、適宜、タイムスタンプ情報に係るデータ加工を行うことが可能である。
【００４６】
データ加工装置１は音声のデータを記録する構成であるが、連続映像、動画映像、映像と音声の組み合わせ等であってもよい。
【図面の簡単な説明】
【００４７】
【図１】この発明の最良の実施の一形態において、記録媒体を接続している際の構成を説明するブロック図である。
【符号の説明】
【００４８】
１      ：データ加工装置
３      ：読出し手段
４      ：比較手段
５      ：書込み手段
８      ：制御手段
【図１】
2007058594.tif 000003